(57)【要約】      （修正有）【課題】部品点数の増加を伴わず、かつ低コストで屋上設置物を設置できるとともに、効果的に雨漏りを防止可能な屋上設置物取付瓦及び取付構造を提供する。【解決手段】屋上設置物取付瓦は、瓦葺き屋根に屋上設置物を取り付けるための瓦であって、瓦本体２の軒側かつ裏面側に金具挿通溝５を有することを特徴としている。上記金具挿通溝の深さが０．１ｃｍ以上０．６ｃｍ以下であるとよい。棟側かつ上記金具挿通溝の中央を通る軒棟方向線上に固定用貫通孔を有するとよい。本取付構造は、軒棟方向に重なり合う一対の瓦の間に支持金具を挟着し、この支持金具を介して屋上設置物を取り付ける屋上設置物の取付構造において、金具挿通溝に支持金具を嵌合した状態でこの支持金具を固定することを特徴としている。【選択図】図１
0003162249.tif 000002
【実用新案登録請求の範囲】
【請求項１】
瓦葺き屋根に屋上設置物を取り付けるための瓦であって、
瓦本体の軒側かつ裏面側に金具挿通溝を有することを特徴とする瓦。
【請求項２】
上記金具挿通溝の深さが０．１ｃｍ以上０．６ｃｍ以下である請求項１に記載の瓦。
【請求項３】
棟側かつ上記金具挿通溝の中央を通る軒棟方向線上に固定用貫通孔を有する請求項１又は請求項２に記載の瓦。
【請求項４】
軒棟方向に重なり合う一対の瓦の間に支持金具を挟着し、この支持金具を介して屋上設置物を取り付ける屋上設置物の取付構造において、
請求項１、請求項２又は請求項３に記載の金具挿通溝に支持金具を嵌合した状態でこの支持金具を固定することを特徴とする屋上設置物取付構造。
【考案の詳細な説明】
【技術分野】
【０００１】
本考案は、瓦葺き屋根に屋上設置物を取り付けるための瓦及びこの瓦を使用した屋上設置物取付構造に関する。
【背景技術】
【０００２】
現在、クリーンエネルギーを利用する仕組みとして、太陽光発電システムや太陽光集熱システム等が普及している。このようなシステムに関し、例えば太陽光発電システムであれば、住宅等の屋根の上に太陽電池モジュールを設置し、この太陽電池モジュールを介して太陽光エネルギーを電気エネルギーに変換すること等によって実現される。かかるシステムは、二酸化炭素削減による温暖化防止策として有効で、今後もさらに広く利用されていくものと考えられる。
【０００３】
太陽電池モジュールを屋根に設置する方法としては、瓦や板金等の屋根材を介して野路板や垂木に所定の支持金具の一端を取り付け、この支持金具の他端にラックシステムと呼ばれる取り付け構造体を設置し、この構造体に太陽電池モジュールを取り付けるという方法がよく用いられている。
【０００４】
具体的には、軒棟方向において重なり合う既存の瓦と瓦との間に、Ｌ字状支持金具の基板を挿入して瓦、野地板、桟木等に取り付け、この支持金具の脚部に縦レール部材を連結し、さらに複数の縦レール部材間に横レール部材を固定して、この横レール部材に太陽電池モジュールを固定するという方法等が採用されている。
【０００５】
しかし、従来の瓦を用いてかかる取り付け方法を行った場合、支持金具の基板が瓦と瓦との間に挿入されるため、この基板の厚み分だけ上側の瓦が浮かび上がることになる。そして、上側の瓦と下側の瓦との間にこの基板の厚み分の隙間が生じることになる。その結果、この隙間から雨水等が浸入して雨漏りを生じるという問題が生じている。さらに、このような隙間は、風雨等により年数の経過とともに大きくなり、雨漏りの危険性もそれと併行して高くなるという問題が生じている。
【０００６】
他方、かかる雨漏りを防止することができる太陽電池モジュールの取付構造として、既存屋根への太陽電池瓦葺き構造（特開２００３−３１４０１０号公報参照）等が発案されている。しかし、このような既存屋根への太陽電池瓦葺き構造は、瓦の表面を防水シートで覆い、さらにこの防水シートの上に所定のスペーサーを配置することが必要とされる。それ故、このような取り付け構造は、太陽電池モジュールを取り付けるための部品点数が多くなり、コスト面、資源面、作業面等の負担が大きくなる。
【０００７】
従って、太陽電池モジュール等の屋上設置物の取付構造に関しては、部品点数の増加を伴わず、安価な構造で、かつ効果的に雨漏りを防止することができる構造であることが望ましい。しかし、このような要求を満たす太陽電池モジュール等の屋上設置物取付瓦及び取付構造は現在のところ存在していない。
【先行技術文献】
【特許文献】
【０００８】
【特許文献１】特開２００３−３１４０１０号公報
【考案の概要】
【考案が解決しようとする課題】
【０００９】
本考案は、これらの不都合に鑑みてなされたものであり、低コスト性及び設置容易性に優れるとともに、効果的に雨漏りを防止することができる屋上設置物取付瓦及び取付構造の提供を目的とするものである。
【課題を解決するための手段】
【００１０】
上記課題を解決するためになされた考案は、
瓦葺き屋根に屋上設置物を取り付けるための瓦であって、
瓦本体の軒側かつ裏面側に金具挿通溝を有することを特徴とする瓦である。
【００１１】
当該瓦は、支持金具を用いた屋上設置物の取り付けに際して、この支持金具を金具挿通溝に嵌合させて取り付けることができる。その結果、当該瓦によると、支持金具を取り付けた場合であっても、重なり合う瓦と瓦との間にこの支持金具の厚みに相当する浮き上がりが生じない。従って、当該瓦は、雨水等が瓦の裏側に浸入することを抑制することができ、ひいては屋根裏からの雨漏りを効果的に防止することができる。また、当該瓦によれば、特別な部材によらなくても雨漏りを防止することができるので、著しくコストを削減することができる。加えて、当該瓦によれば、雨漏り防止のための特別な作業が省略されるので、作業時間を短縮することができる。
【００１２】
上記金具挿通溝の深さが０．１ｃｍ以上０．６ｃｍ以下であるとよい。これにより、瓦の浮き上がりを防止できるとともに、金具挿通溝と支持金具との間に生じる隙間を小さくすることができる。その結果、当該瓦は、金具挿通溝と支持金具との間からの雨水の浸入を抑えることができ、防水効果をさらに高めることができる。
【００１３】
棟側かつ上記金具挿通溝の中央を通る軒棟方向線上に固定用貫通孔を有するとよい。これにより、この固定用貫通孔からネジを螺入し、当該瓦、支持金具、及び当該瓦の下方に配設される桟木を固定することができる。その結果、当該瓦によると、支持金具を強固に固定することができ、ひいては屋上設置物の安定性を高めることができる。
【００１４】
従って、軒棟方向に重なり合う一対の瓦の間に支持金具を挟着し、この支持金具を介して屋上設置物を取り付ける屋上設置物の取付構造において、当該瓦の金具挿通溝に支持金具を嵌合した状態でこの支持金具を固定する屋上設置物取付構造によれば、重なり合う瓦と瓦との間にこの支持金具の厚みに相当する浮き上がりが生じない。従って、当該屋上設置物取付構造は、雨水等が瓦の裏側に浸入することを抑制することができ、ひいては屋根裏からの雨漏りを効果的に防止することができる。また、当該屋上設置物取付構造によれば、特別な部材によらなくても雨漏りを防止することができるので、著しくコストを削減することができる。加えて、当該屋上設置物取付構造によれば、雨漏り防止のための特別な作業が省略されるので、作業時間を短縮することができる。
【考案の効果】
【００１５】
以上説明したように、本考案の屋上設置物取付瓦及び取付構造は、部品点数の増加を伴わず、かつ低コストで屋上設置物を設置できるとともに、効果的に雨漏りを防止することができる。
【図面の簡単な説明】
【００１６】
【図１】本考案の一実施形態に係る瓦を示す斜視図である。
【図２】図１の瓦の取付構造を示す模式的断面図である。
【図３】図１の瓦と異なる形態に係る瓦を示す斜視図である。
【図４】図２の瓦の取り付け構造を示す模式的断面図である。
【考案を実施するための形態】
【００１７】
以下、適宜図面を参照しつつ本考案の実施の形態を詳説する。
【００１８】
図１の瓦１は、瓦本体２と、側縁部３と、尻部４とを有している。
【００１９】
瓦１の材質は、特に限定されないが、一般的には、粘土等の陶器材料、セメント、石膏等の水硬性無機材料、ステンレス鋼、アルミニウム、銅等の金属、繊維強化プラスチック（ＦＲＰ）、ポリカーボネート、アクリル樹脂等の合成樹脂、又はこれらの混合物を使用することができる。
【００２０】
瓦本体２は、金具挿通溝５を有している。
【００２１】
金具挿通溝５は、瓦本体２の軒側かつ裏面側に形成されている。具体的には、金具挿通溝５は、瓦本体２の前垂れの下端かつ中央に形成されている。金具挿通溝５は、軒棟方向と垂直な平面において、断面略矩形状に形成されている。
【００２２】
金具挿通溝５の大きさは、特に限定されない。金具挿通溝５の深さとしては、０．１ｃｍ以上０．６ｃｍ以下であることが好ましく、０．２ｃｍ以上０．５ｃｍ以下であることがさらに好ましい。金具挿通溝５の深さが上記範囲に形成されることにより、金具挿通溝５に支持金具（図示せず）を挿入した場合であっても、金具挿通溝５と支持金具との間に生じる隙間を小さくすることができる。その結果、当該瓦１は、瓦の浮き上がりを防止できるとともに、金具挿通溝５と支持金具との間からの雨水の浸入を抑えることができ、防水効果をさらに高めることができる。
【００２３】
また、金具挿通溝５の幅は、金具挿通溝５に挿入する支持金具の幅以上であれば特に限定されないが、一般的には、１．５ｃｍ以上４．５ｃｍ以下程度とされている。金具挿通溝５の幅が上記範囲に形成されることにより、金具挿通溝５と支持金具との幅の相違によって生じる隙間を小さく保つことができる。その結果、当該瓦１は、金具挿通溝５と支持金具との間からの雨水の浸入を抑えることができ、防水効果をさらに向上させることができる。
【００２４】
次に、当該瓦１の製造方法について説明する。なお、以下の製造手順では粘土材を用いた陶器瓦の場合を例として挙げるが、金属や合成樹脂等により製造する場合であっても、以下に示す金型等を用いることにより、周知の方法で製造することができる。
【００２５】
まず、押出成形ステップ（ＳＴＰ１）として、所定の粘土原料を配合し、水分調整された粘土生地を真空押出機で成形用平板に押出成形する。次に、プレス成形ステップ（ＳＴＰ２）として、金具挿通溝５を形成するための凸部を備える金型をプレス機に取付け、ＳＴＰ１で形成された成形用平板をプレス成形して金具挿通溝５を有する瓦形状の成形体に成形する。続いて、乾燥ステップ（ＳＴＰ３）において、この成形体をヘラ等で磨き、瓦の表面を整えたうえで乾燥させる。さらに、焼成ステップ（ＳＴＰ４）として、ＳＴＰ３で得られた瓦に釉薬を施したうえ焼成炉で焼成する。当該瓦１は、かかるＳＴＰ１からＳＴＰ４を経ることによって得ることができる。
【００２６】
また、当該瓦１を得るための別の方法として、上記ＳＴＰ３の後、瓦が白地状態にあるときに、この瓦をヘラ等で削ることによって金具挿通溝５を形成することもできる。
【００２７】
次に、図２を参照して、当該瓦１を用いた屋上設置物取付手順及び取付構造について説明する。
【００２８】
まず、当該瓦１を設置する前に、当該瓦１と同様の瓦１１の上面かつ幅方向中央（瓦１１の瓦本体の幅方向中央）に支持金具１３を設置する。支持金具１３は、瓦１１を棟側から覆うように、かつ軒棟方向と略平行になるように瓦１１の表面側に設置される。支持金具１３は、ワッシャーをかませたうえ、上方からネジを螺入されることで、野地板及び垂木に連結される。
【００２９】
次に、支持金具１３の基板１４の軒側先端及び当該瓦１の金具挿通溝５が嵌合するように、当該瓦１を設置する。そして、瓦１１に設置したのと同様の方法で、当該瓦１の棟側に支持金具１５を固定する。さらに、当該瓦１と同様の瓦１２を、当該瓦１と同様の方法で設置する。
【００３０】
続いて、支持金具１３及び支持金具１５の天面に縦レール部材を載せる。支持金具１３及び支持金具１５は、ワッシャーをかませたうえ、下方からボルトを螺入されることにより縦レール部材と連結される。支持金具１３及び支持金具１５と、縦レール部材とは、縦レール部材の上面側に突き出したボルトにナットを螺合されることにより、確実に固定される。
【００３１】
一本の縦レール部材は、支持金具１３、支持金具１５等により、軒棟方向と略平行に固定される。また、縦レール部材は、軒棟方向と略平行かつ他の縦レール部材と略等間隔で複数本設置される。これらの複数の縦レール部材には、複数の横レール部材（図示せず）が格子状を形成するように固定され、これらの複数の横レール部材に屋上設置物（図示せず）が設置される。
【００３２】
当該瓦１は、支持金具１３、支持金具１５等を用いた屋上設置物の取り付けに際して、これらの支持金具を金具挿通溝５に嵌合させて取り付けることができる。その結果、当該瓦１によると、支持金具１３及び支持金具１５を取り付けた場合でも、重なり合う瓦と瓦との間にこの支持金具１３及び支持金具１５の厚みに相当する浮き上がりが生じない。従って、当該瓦１は、雨水等が瓦と瓦との隙間から裏側に浸入することを抑制することができ、ひいては屋根裏からの雨漏りを効果的に防止することができる。また、当該瓦１によれば、特別な部材によらなくても雨漏りを防止することができるので、著しくコストを削減することができる。加えて、当該瓦１によれば、雨漏り防止のための特別な作業を省略することができるので、作業時間を短縮することができる。
【００３３】
図３の瓦２１は、瓦本体２と、側縁部３と、尻部２２とを有している。
【００３４】
瓦本体２及び側縁部３は、図１の瓦１と同様であるため、同一番号を付して説明を省略する。
【００３５】
尻部２２は、固定用貫通孔２３を有している。尻部２２は、瓦本体２の棟側に、瓦本体２と一体的に連結されている。尻部２２は、表面側において、瓦本体２よりも隆起した形状に形成されている。尻部２２は、この隆起部分により、雨水が瓦本体２側から尻部２２を超えて浸入するのを防止することができる。
【００３６】
固定用貫通孔２３は、棟側かつ金具挿通溝５の中央を通る軒棟方向線上に形成されている。固定用貫通孔２３は、瓦２１を屋根に設置した場合において、瓦２１と桟木とが重なり合う位置に形成されている。
【００３７】
図４を参照して、当該瓦２１を用いた屋上設置物取付手順及び取付構造について説明する。
【００３８】
まず、当該瓦２１を設置する前に、当該瓦２１と同様の瓦３１を設置する。具体的には、瓦３１は、瓦３１の棟側端部に形成される凸部を桟木の棟側側面と掛合するように設置される。続いて、支持金具３３を、瓦３１の上面かつ幅方向中央（瓦３１の瓦本体の幅方向中央）に設置する。支持金具３３は、基板３４の貫通孔と瓦３１の固定用貫通孔とが重なり合うように瓦３１上に設置される。支持金具３３は、軒棟方向と略平行になるように瓦３１上に設置される。支持金具３４は、ワッシャーをかませたうえ、上方からネジを螺入されることで、瓦３１及び桟木に連結される。
【００３９】
次に、支持金具３３の基板３４の軒側先端及び当該瓦２１の金具挿通溝５が嵌合するように、当該瓦２１を設置する。そして瓦３１に支持金具３３を取り付けたのと同様の方法で、当該瓦２１の棟側に支持金具３５を固定する。さらに、当該瓦２１と同様の瓦３２を、当該瓦２１と同様の方法で設置する。
【００４０】
また、支持金具３４及び支持金具３５と、縦レール部材とを固定する方法は、図２の支持金具１３及び支持金具１５と、縦レール部材とを固定する方法と同様である。
【００４１】
当該瓦２１は、固定用貫通孔２３の上方からネジを螺入して、当該瓦２１、支持金具３５、及び当該瓦２１の下方に配設される桟木を固定することができる。その結果、当該瓦２１によると、支持金具３５と比較的厚みの大きい桟木とを強固に固定することができ、ひいては屋上設置物の安定性を高めることができる。
【００４２】
なお、本考案の瓦は、上記態様の他、種々の変更、改良を施した態様で実施することができる。例えば、瓦の形態としては、平瓦の他、和瓦、洋瓦、Ｓ型、波形等、種々の形態の瓦を使用することができる。当該瓦は、必ずしも側縁部及び尻部を有していなくてもよい。固定用貫通孔は、必ずしも尻部に形成されていなくてもよい。また、金具挿通溝は、必ずしも、瓦本体の幅方向中央部に形成されていなくてもよい。
【産業上の利用可能性】
【００４３】
以上のように、本考案の屋上設置物取付瓦及び取付構造は、部品点数の増加を伴わず、かつ低コストで屋上設置物を設置できるとともに、効果的に雨漏りを防止することができる。従って、本考案の屋上設置物取付瓦は、太陽電池モジュール、太陽光集熱装置、表示装置、発光装置等、種々の装置を瓦の設置と同時に、又は瓦を設置した後事後的に取り付けるのに適している。
【符号の説明】
【００４４】
１  瓦
２  瓦本体
３  側縁部
４  尻部
５  金具挿通溝
１１  瓦
１２  瓦
１３  支持金具
１４  基板
１５  支持金具
２１  瓦
２２  尻部
２３  固定用貫通孔
３１  瓦
３２  瓦
３３  支持金具
３４  基板
３５  支持金具
【図１】
0003162249.tif 000003
【図２】
0003162249.tif 000004
【図３】
0003162249.tif 000005
【図４】
0003162249.tif 000006